(57)【要約】【課題】使用中、音が外に漏れるのを、より確実に、しかも、負担少なく、防ぐことができるトイレ換気遮音構造及び通気遮音構造を提供する。【解決手段】例えばトイレに適用されて、換気用排気口が設けられたトイレ室１に隣室３と連通する通気口４が設けられると共に、該通気口４を開閉する開閉材６が備えられ、前記通気口４が開いた換気状態で、閉じられているドア２を開き、そして閉じると、通気口４が開閉材６で閉じられて遮音状態が形成され、続いて、ドア２を開き、そして閉じると、通気口４が開かれて換気状態が形成されるようになされている。【選択図】      図１
2008280714.tif 000002
【特許請求の範囲】
【請求項１】
換気用排気口が設けられたトイレ室に隣室と連通する通気口が設けられると共に、該通気口を開閉する開閉材が備えられ、
前記通気口が開いた換気状態で、閉じられているドアを開き、そして閉じると、通気口が開閉材で閉じられて遮音状態が形成され、続いて、ドアを開き、そして閉じると、通気口が開かれて換気状態が形成されるようになされていることを特徴とするトイレ換気遮音構造。
【請求項２】
前記換気用排気口が高所に設けられると共に、前記通気口が、ドアと床面との間に形成された隙間からなり、開閉材がドアに組み込まれている請求項１に記載のトイレ換気遮音構造。
【請求項３】
トイレ室及び／又は隣室に、遮音状態か換気状態かを表示する表示手段が備えられている請求項１又は２に記載のトイレ換気遮音構造。
【請求項４】
室外と連通する通気口が設けられると共に、該通気口を開閉する開閉材が備えられ、
前記通気口が開いた通気状態で、閉じられているドアを開き、そして閉じると、通気口が開閉材で閉じられて遮音状態が形成され、続いて、ドアを開き、そして閉じると、通気口が開かれて通気状態が形成されるようになされていることを特徴とする通気遮音構造。
【発明の詳細な説明】
【技術分野】
【０００１】
本発明は、トイレ換気遮音構造及び通気遮音構造に関する。
【背景技術】
【０００２】
例えば、トイレの換気性能と遮音性能を両立させる目的で、トイレの中からドアの施錠操作をすると、隣室と連通している通気口が閉じられて遮音状態が形成され、施錠を解除すると、通気口が開いて換気状態が形成されるようになされたものが、従来より知られている。
【特許文献１】特開２００６−０５７３６４号公報
【発明の開示】
【発明が解決しようとする課題】
【０００３】
しかしながら、上記のような換気遮音構造では、特に、男性が小便をするときに、いちいちドアの施錠操作をすることは、普通では考えられず、行為音が、通気口を通じて隣室に漏れてしまうという問題がある。
【０００４】
また、トイレに限らず、オーディオルームなどに上記のような施錠による切換え機構を採用した場合でも、ドアの施錠操作が必要となって、非常に厄介であり、施錠操作を忘れたために、音が室外に漏れてしまうという問題を生じる。
【０００５】
本発明は、上記のような問題点に鑑み、使用中、音が外に漏れるのを、より確実に、しかも、負担少なく、防ぐことができるトイレ換気遮音構造及び通気遮音構造を提供することを課題とする。
【課題を解決するための手段】
【０００６】
上記の課題は、換気用排気口が設けられたトイレ室に隣室と連通する通気口が設けられると共に、該通気口を開閉する開閉材が備えられ、
前記通気口が開いた換気状態で、閉じられているドアを開き、そして閉じると、通気口が開閉材で閉じられて遮音状態が形成され、続いて、ドアを開き、そして閉じると、通気口が開かれて換気状態が形成されるようになされていることを特徴とするトイレ換気遮音構造によって解決される（第１発明）。
【０００７】
この構造では、トイレのドアはきちんと閉じておくという習慣を身につけておくことによって、換気状態において、トイレのために、ドアを開けて中に入り、ドアを閉じると、開いていた通気口が閉じられて遮音状態が形成されて、行為音が外に漏れず、行為終了後、ドアを開け、外に出て、ドアを閉じると、閉じられていた通気口が開かれて換気状態が形成される。これにより、男性が小便をするときであっても、トイレを確実にしかも負担なく容易に遮音状態にすることができて、行為音が、通気口を通じて隣室に漏れてしまうのを防ぐことができる。
【０００８】
第１発明において、前記換気用排気口が高所に設けられると共に、前記通気口が、ドアと床面との間に形成された隙間からなり、開閉材がドアに組み込まれているとよい（第２発明）。この場合は、換気用排気口と通気口とによってトイレ内を効果的に換気することができると共に、トイレ内で目視確認困難な通気口の開閉状態を、トイレのドアをきちんと閉じておくという習慣を身につけておくことで、適正に制御することができる。
【０００９】
第１，第２発明において、トイレ室及び／又は隣室に、遮音状態か換気状態かを表示する表示手段が備えられているとよい（第３発明）。この場合は、なんらかの原因で、換気状態と通気状態とがドアの開閉との関係で逆になっているような場合でも、表示手段による表示に基づいて、正常な状態に容易に戻すことができ、より確実な動作を実現することが可能になる。
【００１０】
また、上記の課題は、室外と連通する通気口が設けられると共に、該通気口を開閉する開閉材が備えられ、
前記通気口が開いた通気状態で、閉じられているドアを開き、そして閉じると、通気口が開閉材で閉じられて遮音状態が形成され、続いて、ドアを開き、そして閉じると、通気口が開かれて通気状態が形成されるようになされていることを特徴とする通気遮音構造によっても解決される。
【００１１】
この通気遮音構造では、トイレに限らず、オーディオルームなどの通気と遮音の両方が必要とされる各種の室において、その室の使用中、音が外に漏れるのを、確実に、しかも、負担少なく、防ぐことができる。
【００１２】
もちろん、この通気遮音構造において、通気口は、ドアと床面との間に形成された隙間からなり、開閉材がドアに組み込まれているのもよいし（第５発明）、また、室内及び／又は室外に、遮音状態か換気状態かを表示する表示手段が備えられているのもよい（第６発明）。
【発明の効果】
【００１３】
本発明のトイレ換気遮音構造及び通気遮音構造は、以上のとおりのものであるから、使用中、音が外に漏れるのを、より確実に、しかも、負担少なく、防ぐことができる。
【発明を実施するための最良の形態】
【００１４】
次に、本発明の実施最良形態を図面に基づいて説明する。
【００１５】
図１〜図５に示す実施形態は、トイレ換気遮音構造についてのもので、図１及び図２において、１はトイレ室、２はドア、３は廊下などの隣室であり、通気口４は、ドア２と床面５との間に形成された隙間で構成され、ドア２は、遮音ドアなどからなって、ドア２には、通気口４を開閉する開閉材６が組み込まれ、トイレ室１内には、図示しないが、高所に換気用の排気口が設けられており、図１（ロ）に示すように、開閉材６が上昇して通気口４が開かれることにより、隣室３の空気が通気口４を通じてトイレ室１内に引き込まれ、排気口を通じて屋外に排気される換気状態が形成され、図２（ロ）に示すように、開閉材６が下降して通気口４が閉じられることにより、遮音状態が形成されるようになされている。
【００１６】
そして、上記のトイレ換気遮音構造は、図１（ロ）に示すような通気口４が開いた換気状態で、閉じられているドア２を開き、そして閉じると、図２（ロ）に示すように、通気口４が開閉材６で閉じられて遮音状態が形成され、続いて、ドア２を開き、そして閉じると、図１（ロ）に示すように、通気口４が開かれて換気状態が形成されるようになされている。
【００１７】
これを実現する手段に制限はないが、例えば、図３〜図５に示すような機構２０を採用することによって、簡素な構造で実現することができる。
【００１８】
この機構２０は、次のような構造のものからなっている。即ち、図１〜図３、図４（イ）に示すように、ドア２の側において、その回動中心側、即ち丁番７側の側面部には、該回動中心位置から離間した位置において、スイッチ棒８が左右方向に出退可能に備えられ、該スイッチ棒８は第１付勢手段としての第１バネ９の付勢力によってドアの側枠１０側に突出状態に保持されており、ドア２に組み込まれた連動機構１１により、該スイッチ棒８が突出した状態では、開閉材６が上昇していて通気口４が開いた状態に保持され、該スイッチ棒８が、第１バネ９の付勢力に抗してドア２の内方に押し動かされて後退すると、開閉材６が下降して通気口４が閉じられるようになされている。
【００１９】
また、上記のスイッチ棒８に対するスイッチ制御のため、図４（イ）に示すように、ドアの側枠１０側には、該スイッチ棒８と正対する位置において切換え制御部１２が組み込まれている。該切換え制御部１２は、ドア２側のスイッチ棒８の方に水平に向けられたシリンダー１３と、該シリンダー１３内に設けられた押動作動体１４と、該押動作動体１４をスイッチ棒８の側に付勢する第２付勢手段としての第２バネ１５と、間欠切換え機構部１６とを備えたものからなっている。
【００２０】
該間欠切換え機構部１６は、第２バネ１５との協働により、次のような動作を実現するものからなっている。即ち、図４（ロ）に示すように、進出待機状態の押動作動体１４に後退方向の力が作用すると、押動作動体１４は、第２バネ１５の付勢力に抗して後退方向に小変位をした後、その位置でそれ以上の後退を阻止され、その力が解除されると、図４（ハ）に示すように、第２バネ１５の付勢力で進出方向に小変位をして、元の進出待機状態に復帰する。そして、図４（ニ）に示すように、もう一度、後退方向の力が作用すると、押動作動体１４は、第２バネ１５の付勢力に抗して後退し、その力が解除されると、図４（ホ）に示すように、第２バネ１５の付勢力で進出方向に小変位をして後退待機状態に保持される。そして、図４（ヘ）に示すように、更にもう一度、後退方向の力が作用すると、押動作動体１４は、第２バネ１５の付勢力に抗して後退方向に小変位をし、その力が解除されると、図４（ト）に示すように、第２バネ１５の付勢力で進出待機位置に戻る、という動作が繰り返されるようにする構造のものからなっていて、例えば、ノック式ペンのノック機構を適合するように改造して構成されたものなどが用いられてよい。
【００２１】
そして、図３（イ）（ロ）に示すように、ドア２の開閉によって、ドア２側のスイッチ棒８と、ドア枠１０側の押動作動体１４とが干渉するようになされていて、第１バネ９の付勢力は、第２バネ１５の付勢力よりも大きく設定されている。
【００２２】
このような機構２０により、図５（イ）に示すように、後退待機状態の押動作動体１４がスイッチ棒８によって後退方向に微小変位したドア閉じ状態では、図１に示すように、開閉材６が上昇位置に位置して通気口４が開かれた換気状態となっていて、その状態から、トイレ使用のためにドア２を開くと、図５（ロ）に示すように、押動作動体１４が進出して進出待機状態となり、そして、トイレ室１に入ってドア２を閉じると、図５（ハ）に示すように、押動作動体１４がスイッチ棒８を後退させ、これにより、図２に示すように、開閉材６が下降して通気口４が閉じられた遮音状態が形成される。行為終了後、続いて、ドア２を開くと、図５（ニ）に示すように、押動作動体１４が進出方向に微小変位をすると共に、スイッチ棒８が突出状態に復帰し、図１に示すように、開閉材６が上昇して通気口４が開き、そして、トイレ室１を出て、ドア２を閉じると、図５（ホ）に示すように、スイッチ棒８が押動作動体１４を後退させ、図５（イ）に示す状態に戻って換気状態が形成される。
【００２３】
このように、上記のトイレ換気遮音構造によれば、トイレのドア２はきちんと閉じておくという習慣を身につけておくことによって、換気状態において、トイレのために、ドア２を開けて中に入り、ドア２を閉じると、開いていた通気口４が閉じられて遮音状態が形成されて、行為音が外に漏れず、行為終了後、ドア２を開け、外に出て、ドア２を閉じると、閉じられていた通気口４が開かれて換気状態が形成されるので、例えば、男性が小便をするときであっても、トイレを確実に遮音状態にすることができて、行為音が、通気口４を通じて隣室３に漏れてしまうのを防ぐことができる。
【００２４】
また、本実施形態では、トイレ室１あるいは隣室３あるいは両室１，３に、図１（ロ）、図２（ロ）に示すように、上記の機構２０の状態や開閉材６の位置等に基づいて、遮音状態か換気状態かを表示する表示手段としての表示装置１７が備えられている。このような表示装置１７が備えられることで、なんらかの原因で、換気状態と通気状態とがドア２の開閉との関係で逆になってしまったときに、表示装置１７でそれに気付くことができて、正常な状態に容易に戻すことができ、より確実な動作を実現することが可能になる。なお、表示手段１７としては、ヒトの視覚、聴覚、触覚等に訴えて表示行為を行う各種の表示手段が用いられてよい。
【００２５】
以上に、本発明の実施形態を示したが、本発明はこれに限られるものではなく、発明思想を逸脱しない範囲で各種の変更が可能である。例えば、上記の実施形態では、トイレに適用した場合を示したが、第４発明では、トイレのほか、オーディオルームなどの通気と遮音の両方が必要とされる各種の室において適用することができる。また、上記の実施形態ではドアが開き戸からなる場合を示したが引き戸からなっていてもよいし、開口部を開閉する各種の建具からなっていてよい。
【図面の簡単な説明】
【００２６】
【図１】トイレ換気遮音構造及び通気遮音構造の実施形態のトイレ不在中の状態を示すもので、図（イ）は断面平面図、図（ロ）は断面正面図、図（ハ）は図（ロ）の要部拡大断面正面図である。
【図２】トイレ換気遮音構造及び通気遮音構造の実施形態のトイレ在室中の状態を示すもので、図（イ）は断面平面図、図（ロ）は断面正面図、図（ハ）は図（ロ）の要部拡大断面正面図である。
【図３】図（イ）はドアが閉じられた状態の断面平面図、図（ロ）はドアが開いた状態の断面平面図である。
【図４】図（イ）は、通気部を開閉させるための機構を示す断面正面図、図（ロ）〜図（ト）はドア枠側の機構部の作動状態を順次示す断面正面図である。
【図５】図（イ）〜図（ホ）は、同機構の作動状態を順次に示す断面正面図である。
【符号の説明】
【００２７】
１…トイレ室（室）
２…ドア
３…隣室（室外）
４…通気口
６…開閉材
２０…機構
【図１】
2008280714.tif 000003
【図２】
2008280714.tif 000004
【図３】
2008280714.tif 000005
【図４】
2008280714.tif 000006
【図５】
2008280714.tif 000007